【手続補正書】
【提出日】平成18年12月8日(2006.12.8)
【手続補正１】
【補正対象書類名】明細書
【補正対象項目名】特許請求の範囲
【補正方法】変更
【補正の内容】
【特許請求の範囲】
【請求項１】
インターネットとは関係ない一意的な識別子と関連するアドレスとを含むデータ・ネットワーク（１０）の上にあるディレクトリ・サービス（ＤＳ１２）を含むシステムであって、前記一意的な識別子は、電話番号、乱数、個人識別番号、ソシアル・セキュリティ番号、記録されている発呼氏名、声紋、指紋及び光彩走査から構成されるグループから選択された少なくとも１つである、システムにおいて、
少なくとも１つの一意的な識別子が、異なるインターネット・イネーブルされた通信システムのための複数のインターネット・アドレスと関連しており、
前記ディレクトリ・サービスは、一意的な識別子を含む変換リクエストに応答して、前記リクエストに含まれておりどのインターネット・アドレスが与えられたインターネット・システムと関連するのかを決定する情報に基づいて前記一意的な識別子の前記複数のインターネット・アドレスの中の１つへの変換を決定するように動作するプロセッサ手段を含むことを特徴とするシステム。
【請求項２】
請求項１記載のシステムにおいて、前記一意的な識別子は電話番号であることを特徴とするシステム。
【請求項３】
請求項１又は請求項２記載のシステムにおいて、前記一意的な識別子は、ステーション・セット、人、場所及び組織からなるグループから選択された１又は複数の識別子であることを特徴とするシステム。
【請求項４】
請求項１ないし請求項３のいずれかの請求項に記載のシステムにおいて、前記通信システムは、ＩＰ−ＰＢＸ、ＩＰ−ＣＯ、ＩＰ−セントレクス、ＩＰ電話、ＩＰ無線電話、ＩＰボイスメール、ＩＰファックス、統一メッセージング及びリモート印刷システムから構成されるグループから選択された１又は複数であることを特徴とするシステム。
【請求項５】
請求項４記載のシステムにおいて、前記複数のインターネット・アドレスはインターネット・プロトコル（ＩＰ）アドレスであることを特徴とするシステム。
【請求項６】
請求項１ないし請求項３のいずれかの請求項に記載のシステムにおいて、前記複数のインターネット・アドレスは、ＳＭＴＰアドレスとＶＰＩＭアドレスとから構成されるグループから選択された１又は複数であることを特徴とするシステム。
【請求項７】
請求項１ないし請求項３のいずれかの請求項に記載のシステムにおいて、前記複数のインターネット・アドレスは、電話、ボイス・メールボックス、ファックス・マシン、プリンタ及び統一メッセージング・メールボックスから構成されるグループから選択された複数の送信先と関連していることを特徴とするシステム。
【請求項８】
請求項１ないし請求項７のいずれかの請求項に記載のシステムにおいて、前記プロセッサ手段は、前記一意的な識別子と関連するインターネット・アドレスとを前記ディレクトリ・サービスに登録するように動作することを特徴とするシステム。
【請求項９】
請求項１ないし請求項７のいずれかの請求項に記載のシステムにおいて、前記プロセッサ手段は、ユーザを前記ディレクトリ・サービスに登録するように動作することを特徴とするシステム。
【請求項１０】
請求項１ないし請求項９のいずれかの請求項に記載のシステムにおいて、前記プロセッサ手段は、前記ディレクトリ・サービスへのアクセスに対してユーザに課金するように動作することを特徴とするシステム。
【請求項１１】
請求項１ないし請求項１０のいずれかの請求項に記載のシステムにおいて、前記プロセッサ手段は、前記変換された１つのインターネット・アドレスを含む応答を送信するように動作可能であることを特徴とするシステム。
【請求項１２】
請求項１ないし請求項１１のいずれかの請求項に記載のシステムにおいて、異なるインターネット・イネーブルされた通信システムのためのディレクトリ・サービスへのインターフェース（１１）を含むことを特徴とするシステム。
【請求項１３】
請求項１ないし請求項１２のいずれかの請求項に記載のシステムにおいて、前記プロセッサ手段は、ＣＰＵと前記ＣＰＵに動作的に接続されたメモリとを含み、前記メモリは前記ＣＰＵによって実行され前記変換を決定するプログラムを含むことを特徴とするシステム。
【請求項１４】
請求項１ないし請求項１３のいずれかの請求項に記載のシステムにおいて、顧客アカウントを確立して顧客が変換リクエストを用いて前記ディレクトリ・サービスにアクセスすることを可能とする手段を更に含むことを特徴とするシステム。
【請求項１５】
請求項１４記載のシステムにおいて、前記ディレクトリ・サービスへのアクセスに対して顧客に課金する手段を含むことを特徴とするシステム。
【請求項１６】
請求項１ないし請求項１５のいずれかの請求項に記載のシステムにおいて、前記ディレクトリ・サービスは前記関連するインターネット・アドレスによって識別される送信先に関する追加的情報を含み、前記追加的情報は、音声符号化、フォーマット、通信プロトコル、通信元の認証及び通信先の認証から構成されるグループから選択された１又は複数であることを特徴とするシステム。
【請求項１７】
インターネット・イネーブルされた通信システムへのアクセスを有するエンド・ユーザの間の通信をイネーブルする方法であって、少なくとも１つの通信先エンド・ユーザは、異なるインターネット・イネーブルされた通信システムに対する複数のインターネット・アドレスと関連しインターネットとは関係がない一意的な識別子を有し、前記一意的な識別子は、電話番号、乱数、個人識別番号、ソシアル・セキュリティ番号、記録されている発呼氏名、声紋、指紋及び光彩走査から構成されるグループから選択された少なくとも１つである、方法において、
データ・ネットワークの上にあり前記一意的な識別子と関連するインターネット・アドレスとを含むディレクトリ・サービス（ＤＳ１２）を提供するステップであって、前記エンド・ユーザの中の１人は、通信アプリケーションに、前記送信先のエンド・ユーザに対する前記一意的な識別子を含む変換リクエストを前記ディレクトリ・サービスへ送信させる、ステップと、
前記ディレクトリ・サービスが、前記一意的な識別子を、前記リクエストに含まれておりどのインターネット・アドレスが与えられたインターネット・システムと関連するのかを決定する情報に基づいて前記一意的な識別子の前記複数のインターネット・アドレスの中の１つに変換するステップと、
を含むことを特徴とする方法。
【請求項１８】
請求項１７記載の方法において、エンド・ユーザは前記ディレクトリ・サービスへの登録に関して課金されることを特徴とする方法。
【請求項１９】
請求項１７又は請求項１８記載の方法において、前記異なるインターネット・イネーブルされた通信システムが、ハイパーテキスト・トランスポート・プロトコル（ＨＴＴＰ）、ライトウェイト・ディレクトリ・アクセス・プロトコル（ＬＤＡＰ）及びドメイン・ネーム・システム（ＤＮＳ）から構成されるグループから選択された１又は複数のプロトコルによってディレクトリ・サービスにアクセスすることを可能にするインターフェースを提供するステップを含むことを特徴とする方法。
【請求項２０】
請求項１７ないし請求項１９のいずれかの請求項に記載の方法において、前記通信は、リアルタイム音声、ボイスメール、統一メッセージング、ファックス及びリモート印刷から構成されるグループから選択された１又は複数のであることを特徴とする方法。
【請求項２１】
請求項１７ないし請求項２０のいずれかの請求項に記載の方法において、前記複数のインターネット・アドレスは、ＩＰ電話のＩＰアドレス、ＩＰ携帯電話のＩＰアドレス、ＩＰ−ＰＢＸのＩＰアドレス、ボイスメール・システムのＶＰＩＭアドレス、統一メッセージング・システムのＳＭＴＰアドレス、電子メール・システムのＳＭＴＰアドレス、ファックス・マシンのＩＰアドレス及びプリンタのＩＰアドレスから構成されるグループから選択された１又は複数であることを特徴とする方法。
【請求項２２】
請求項１７ないし請求項２１のいずれかの請求項に記載の方法において、前記エンド・ユーザは、自らの一意的な識別子と関連するインターネット・アドレスとを前記ディレクトリ・サービスに登録することを特徴とする方法。
【請求項２３】
請求項１７ないし請求項２２のいずれかの請求項に記載の方法において、前記ディレクトリ・サービスは変換されたインターネット・アドレスを含む応答を提供することを特徴とする方法。
【請求項２４】
請求項２３記載の方法において、前記応答を受け取る通信アプリケーションは前記変換されたインターネット・アドレスに基づきインターネット経由で通信を送信することを特徴とする方法。
【請求項２５】
請求項２１記載の方法において、前記インターネット・イネーブルされた通信システムは、異なる通信プロトコルを用いて前記ディレクトリ・サービスに接続することを特徴とする方法。
【請求項２６】
請求項２５記載の方法において、前記異なる通信プロトコルは、ライトウェイト・ディレクトリ・アクセス・プロトコル（ＬＤＡＰ）、ドメイン・ネーム・システム（ＤＮＳ）及びハイパーテキスト・トランスポート・プロトコル（ＨＴＴＰ）から構成されるグループから選択された１又は複数であることを特徴とする方法。
【請求項２７】
請求項２１記載の方法において、前記エンド・ユーザはウェブ・ブラウザ経由で前記ディレクトリ・サービスに接続することを特徴とする方法。
【請求項２８】
請求項１７ないし請求項２７のいずれかの請求項に記載の方法において、前記異なるインターネット・イネーブルされた通信システムは顧客の場所に存在することを特徴とする方法。